(57)【要約】【課題】この発明は保管時の搬送を容易かつ確実に行うことができるようにしたベッド装置を提供することにある。【解決手段】第１のフレーム２と第２のフレーム３との一端がヒンジ機構４によって折り畳み可能に連結されたベッドフレーム１と、第１のフレームの他端に一側面を第１のフレームに対してほぼ直角に連結して設けられ他側面に複数のキャスタ１３が設けられた端部材８と、第１のフレームの一端に設けられた第１の脚部材１５と、第２のフレームの他端に設けられ端部材及び第１の脚部材とで第１、第２のフレームをほぼ水平に展開した状態で支持する第２の脚部材２１とを具備し、キャスタが設けられた面を下にして上記端部材を倒したときに、この端部材上でほぼ垂直に起立した上記第１のフレームに対し上記第２のフレームが一側面を対向させて折り畳み可能である。【選択図】    図１
2004337227.tif 000002
【特許請求の範囲】
【請求項１】
第１のフレームと第２のフレームとの一端がヒンジ機構によって折り畳み可能に連結されたベッドフレームと、
上記第１のフレームの他端に一側面を第１のフレームに対してほぼ直角に連結して設けられ他側面に複数のキャスタが設けられた端部材と、
上記第１のフレームと第２のフレームとの少なくともどちらか一方の一端に設けられた第１の脚部材と、
上記第２のフレームの他端に設けられ上記端部材及び上記第１の脚部材とで上記第１、第２のフレームをほぼ水平に展開した状態で支持する第２の脚部材とを具備し、
上記キャスタが設けられた面を下にして上記端部材を倒したときに、この端部材上でほぼ垂直に起立した上記第１のフレームに対し上記第２のフレームが一側面を対向させて折り畳み可能であることを特徴とするベッド装置。
【請求項２】
上記第１のフレームと第２のフレームとは、保持手段によってほぼ水平に展開した状態と、２つに折り畳んだ状態とでそれぞれ回動不能に保持されることを特徴とする請求項１記載のベッド装置。
【請求項３】
上記ヒンジ機構は、第１のフレームに連結された第１の連結片と、上記第２のフレームに連結されるとともに上記第１の連結片に回動可能に連結された第２の連結片とを有し、
このヒンジ機構は、ストッパ機構によって、上記第１のフレームと第２のフレームとをほぼ水平に展開した状態と、２つに折り畳んだ状態とでそれぞれ上記一対の連結片を回動不能に保持されることを特徴とする請求項１記載のベッド装置。
【請求項４】
上記第１のフレームと第２のフレームとには、各フレームの長さに対応する長手方向中途部で折り畳み可能なマットレスが載置され、
上記ベッドフレームから上記マットレスを取外して上記ベッドフレームを折り畳んだときに、上記マットレスは折り畳んだ状態で上記端部材上に上記ベッドフレームと並んで設置可能であることを特徴とする請求項１記載のベッド装置。
【請求項５】
上記第１の脚部材と第２の脚部材とは、パイプ材をほぼＵ字状に曲成し両端を上記各フレームの下面に設けられた取付け具に回動可能に連結されて折り畳み可能となっていて、
上記第１、第２の脚部材は、各フレームを展開してほぼ水平に支持するときに、上記取付け具により各フレームの下面に対し９０度よりも大きな起立角度で保持される構成であることを特徴とする請求項１記載のベッド装置。
【発明の詳細な説明】
【０００１】
【発明の属する技術分野】
この発明は不使用時にほぼ垂直に立てて保管することが可能なベッド装置に関する。
【０００２】
【従来の技術】
たとえば、ホテルなどではエキストラ用として多数のベッドを所定の保管場所に収納しておくことがある。そのような場合、保管スペースを有効に利用できるようにするため、ベッド装置のベッドフレームを立位状態にして保管するということが行なわれている。それによって、保管場所を三次元的に有効利用することができるから、同じ広さの保管スペースであっても、多くのベッド装置を保管することが可能となる。
【０００３】
上記ベッドフレームを立位状態にして保管する場合、技術文献１に示されるようにベッドフレームの長手方向一端に側板を設け、この側板には複数のキャスタを設ける。そして、側板のキャスタが設けられた面が下になるよう、上記ベッドフレームを起立させ、キャスタによってベッドフレームを保管場所に移動させて保管するということが行なわれている。
【０００４】
【技術文献１】
特開昭６０―１６５９０７号公報
【０００５】
【発明が解決しようとする課題】
上記構成のベッド装置によれば、保管時に移動させるときにはベッドフレームを起立させ、側板に設けられたキャスタによってベッドフレームを走行移動させることができる。そのため、保管時の移動を比較的容易に行うことが可能となるという利点を有する。
【０００６】
しかしながら、ベッド装置は、通常、ベッドフレームの長さ寸法が約２メートル近くある。そのため、保管時にベッドフレームを起立させると、そのときの高さも２メートル或いはそれ以上になるから、移動させる際の安定性が悪く、転倒させるという虞があるばかりか、異なる階に移動させるためにエレベータに載せようとしても、そのエレベータの高さが低いような場合には、内部に入らないとため、移動に不便であるということがあった。
【０００７】
この発明は、保管時などにベッドフレームを立位状態で移動させるときには、その高さ寸法を約半分にすることができるようにしたベッド装置を提供することにある。
【０００８】
【課題を解決するための手段】
この発明は、第１のフレームと第２のフレームとの一端がヒンジ機構によって折り畳み可能に連結されたベッドフレームと、
上記第１のフレームの他端に一側面を第１のフレームに対してほぼ直角に連結して設けられ他側面に複数のキャスタが設けられた端部材と、
上記第１のフレームと第２のフレームとの少なくともどちらか一方の一端に設けられた第１の脚部材と、
上記第２のフレームの他端に設けられ上記端部材及び上記第１の脚部材とで上記第１、第２のフレームをほぼ水平に展開した状態で支持する第２の脚部材とを具備し、
上記キャスタが設けられた面を下にして上記端部材を倒したときに、この端部材上でほぼ垂直に起立した上記第１のフレームに対し上記第２のフレームが一側面を対向させて折り畳み可能であることを特徴とするベッド装置にある。
【０００９】
上記第１のフレームと第２のフレームとは、保持手段によってほぼ水平に展開した状態と、２つに折り畳んだ状態とでそれぞれ回動不能に保持されることが好ましい。
【００１０】
上記ヒンジ機構は、第１のフレームに連結された第１の連結片と、上記第２のフレームに連結されるとともに上記第１の連結片に回動可能に連結された第２の連結片とを有し、
このヒンジ機構は、ストッパ機構によって、上記第１のフレームと第２のフレームとをほぼ水平に展開した状態と、２つに折り畳んだ状態とでそれぞれ上記一対の連結片を回動不能に保持されることが好ましい。
【００１１】
上記第１のフレームと第２のフレームとには、各フレームの長さに対応する長手方向中途部で折り畳み可能なマットレスが載置され、
上記ベッドフレームから上記マットレスを取外して上記ベッドフレームを折り畳んだときに、上記マットレスは折り畳んだ状態で上記端部材上に上記ベッドフレームと並んで設置可能であることが好ましい。
【００１２】
上記第１の脚部材と第２の脚部材とは、パイプ材をほぼＵ字状に曲成し両端を上記各フレームの下面に設けられた取付け具に回動可能に連結されて折り畳み可能となっていて、
上記第１、第２の脚部材は、各フレームを展開してほぼ水平に支持するときに、上記取付け具により各フレームの下面に対し９０度よりも大きな起立角度で保持される構成であることが好ましい。
【００１３】
この発明によれば、ベッドフレームを起立させて移動させるとき、このベッドフレームを２つに折り畳むことができるから、その移動を安定した状態で行うことが可能となる。
【００１４】
【発明の実施の形態】
以下、図面を参照しながらこの発明の一実施の形態を説明する。
【００１５】
図１（ａ）はこの発明の一実施の形態に係るベッド装置の正面図で、図１（ｂ）は側面図である。このベッド装置はベッドフレーム１を備えている。このベッドフレーム１は、第１のフレーム２と第２のフレーム３との一端がヒンジ機構４によって回動可能に連結されている。
【００１６】
上記第１、第２のフレーム２，３はパイプ材をほぼコ字状に曲成してなり、このパイプ材の一端と他端、つまり各フレーム２、３の開放端である、長手方向一端がそれぞれ上記ヒンジ機構４によって連結されている。なお、各フレーム２、３の両側辺の開放端側の端部は、図２に示すように連結ステー２ａ，３ａによって連結補強されている。
【００１７】
上記ヒンジ機構４は図５（ａ）〜（ｄ）に示すように第１のフレーム２の一端部下面に一辺が固着された第１の連結片５と、第２のフレーム３の一端部下面に一辺が固着された第２の連結片６とを有し、これら第１、第２の連結片５，６の一端角部が連結軸７によって回動可能に連結されている。
【００１８】
上記第１のフレーム２の他端面には、図１（ｂ）に示すようにパイプ材をほぼ山形状に曲成した、ヘッドボード部材を兼ねる端部材８が上記第１のフレーム２の他端と、この他端上面に立設された取付け金具９とにそれぞれねじ１１によって取付け固定されている。この端部材８の上記第１のフレーム２に接触した面と反対側の面である、外面には山形の両側辺の上部と下部とにそれぞれ一対のキャスタ１３が設けられている。４つのキャスタ１３のうち、少なくとも下部に設けられた一対のキャスタ３はストッパ付きとなっている。
【００１９】
図１（ａ）及び図２に示すように、上記第１のフレーム２の一端部の幅方向両端部の下面にはそれぞれ第１の取付け具１４が固着されている。この第１の取付け具１４は帯板をコ字状に曲成してなり、開放した一側面を端部材８側に向けて設けられている。一対の第１の取付け具１４には、パイプ材をほぼＵ字状に曲成した第１の脚部材１５の両端部が第１の支軸１６によって回動可能に連結されている。
【００２０】
上記第１の脚部材１５は、図１に鎖線で示すように第１のフレーム２の下面に対向する倒伏した状態から、実線で示す状態に起立可能となっており、第１のフレーム２の下面に対して９０度よりもわずかに大きな角度まで回動させると、その脚部材１５の第１の支軸１６によって枢着された端部が第１の取付け具１４の閉塞側の側壁に当接し、それ以上回動するのが阻止される。その状態で、第１のフレーム２は、上記端部材８と第１の脚部材１５とによってほぼ水平に支持される。
【００２１】
上記第２のフレーム３の他端部の幅方向両端にはそれぞれ第２の取付け具１９が固着されている。この第２の取付け具１９は上記第１の取付け具１４と同様、帯板をコ字状に曲成してなり、開放した一側面を第１のフレーム１２側に向けて設けられている。
【００２２】
一対の第２の取付け具１９には、パイプ材をほぼコ字状に曲成した第２の脚部材２１の両端が第２の支軸２２によって回動可能に連結されている。この第２の脚部材２１は図１（ａ）及び図３に鎖線で示す第２のフレーム３の下面に対向する倒伏状態から実線で示す起立状態の間で回動可能であって、倒伏状態から起立方向に９０度よりもわずかに大きな角度で回動すると、第２の支軸２２に枢着された端部が第２の取付け具１９の閉塞側の側壁に当接し、それ以上回動するのが阻止される。その状態で、第２のフレーム３は上記第２の脚部材２１によって第１のフレーム２とほぼ同じ高さで、ほぼ水平な状態で支持される。
【００２３】
第２のフレーム３がほぼ水平になると、図５（ａ）に示すように第２のフレーム３のパイプ材の両端面が第１のフレーム２のパイプ材の両端面に当接するから、連結軸７により連結されたヒンジ機構４の一対の連結片５，６の回動が阻止される。それによって、第２のフレーム３は、一端部がそれ以上、下方向へ回動するのが阻止されるから、上記第１の脚部材１５と第２の脚部材２１とによってほぼ水平に支持される。
【００２４】
上記第１、第２の取付け具１４，１９の一側内面には内方に突出する突起２３が設けられている。図４には第２の取付け具１９に設けられた突起２３を示し、第１の取付け金具１４に設けられた突起２３は図示されていない。
【００２５】
第１、第２の脚部材１５、２１を鎖線で示すように各フレーム２、３の下面に対向する位置まで回動させたときと、実線で示すように９０度よりもわずかに大きな角度まで起立方向に回動させたときに、それぞれ第１、第２の脚部材１５，２１の端部が上記突起２３と弾性的に係合する。それによって、第１、第２の脚部材１５，２１は倒伏状態と、起立状態とでそれぞれ上記第１、第２の取付け具１４、１９に弾性的に保持される。
【００２６】
なお、第１、第２の脚部材１５、２１の床面に設置する中間部にはそれぞれゴム製の一対の滑り止め部材１５ａ，２１ａが取り付けられている。
上記ヒンジ機構４には、図５（ａ）〜（ｄ）に示す保持手段を構成するストッパ機構２５が設けられている。このストッパ機構２５はヒンジ機構４の第１の連結片５に穿設された取付け孔２６にスライド可能に設けられた可動軸２７を有する。この可動軸２７は上記取付け孔２６に挿通された挿通部２７ａと、上記取付け孔２６よりも大径で、上記第１の連結片５の外面側に突出した大径部２７ｂとを有する。上記挿通部２７ａの先端にはＥリング２８が設けられている。上記挿通部２７ａには上記Ｅリング２８と第１の連結片５の内面との間にばね２９が装着されている。
【００２７】
上記大径部２７ｂにはＬ字状に曲成されたハンドル部材３１のグリップ３２が設けられた一端部が上記第１の連結片５の外面とほぼ平行に固着されている。このハンドル部材３１の他端部は第１の連結片５の外面に対してほぼ直角になっていて、その先端部は他の部分よりも小径な係合部３３に形成されている。この係合部３３は第２の連結片６に形成された係合孔３４に上記ばね３４の付勢力によって弾性的に係合可能となっている。
【００２８】
上記第１のフレーム２と第２のフレーム３とをほぼ水平に展開したとき、上記ハンドル部材３１の係合部３３が上記第２の連結片６の係合孔３４に係合する。それによって、ヒンジ機構４の第１の連結片５と第２の連結片６とは回動不能に保持されるから、第１のフレーム２と第２のフレーム３とはほぼ水平に展開した状態で折り曲げ不能に保持される。
【００２９】
図５（ｃ）に示すように、上記ハンドル部材３１をばね２９に付勢力に抗して引き、先端の係合部３３を係合孔３４から外せば、上記ハンドル部材３１によるヒンジ機構４の一対の連結片５、６の固定を解除することができる。それによって、図６（ｂ）に示すように、第２のフレーム３を第１のフレーム２の下面に対向するよう折り畳むことができる。
【００３０】
第２のフレーム３を第１のフレーム２の下面に対向するよう折り畳むと、その状態で図５（ｄ）に示すように上記ハンドル部材３１の係合部３３を第２の連結片６の係合孔３４に係合させることができる。それによって、折り畳まれた第２のフレーム３を、第１のフレーム２に対して回動不能に保持することができる。つまり、ストッパ機構２５は、第１のフレーム２と第２のフレーム３とを水平に展開した状態と、２つに折り畳んだ状態との両方の状態において、回動不能に保持できるようになっている。
【００３１】
図２と図４に示すように、上記第１のフレーム２と第２のフレーム３との両側内面には、アングル材からなる受け部材３６が設けられている。各フレーム２、３の一対の受け部材３６には、それぞれ簾の子状の床部材３７がベッドフレーム１の長手方向に所定間隔で設けられている。
【００３２】
上記床部材３７は、各フレーム２、３の幅方向に沿って架設される帯板状の複数の桟部材３８を有する。この桟部材３８は、図４に示すように帯板３８ａの上面に合成樹脂シート３８ｂを貼着した二層構造をなしていて、上面は凸状の曲面となっている。
【００３３】
各桟部材３８の両端部は一側面が開放した箱形状の支持部材３９に挿入されている。図３と図４に示すように、支持部材３９の下面には帯状ばね４１が設けられ、上記支持部材３９を上記受け部材３６に弾性的に支持している。
【００３４】
図３に示すように、所定間隔で離間した、隣り合う一対の支持部材３９はそれぞれ連結片４２によって回動可能に連結されている。この実施の形態では図２に示すように、第１のフレーム２と第２のフレーム３には、それぞれ７本の桟部材３８が架設されている。
【００３５】
図３に示すように、各フレーム２、３の長手方向両端に位置する桟部材３８の端部を収納保持した収納部材３９は、受け部材３６に設けられた取付け具４３に、連結ピン４４によって回動可能な状態で連結されている。図３は第２のフレーム２の一端部だけを示しているが、他端部及び第１のフレーム２に設けられた床部材３７の両端部も同様に、フレーム２、３に連結されている。それによって、第１、第２のフレーム２、３を起立させたときに、各フレーム２、３から床部材３７の桟部材３８が外れることがないようになっている。
【００３６】
上記第１の、第２のフレーム２、３の桟部材３８上にはマットレス４５が載置されている。このマットレス４５は、図６（ｂ）に示すように、第１のフレーム２上に載置される第１の部分４５ａと、第２のフレーム３上に載置される第２の部分４５ｂとが幅方向中途部にファスナ４６が設けられた連結布４７によって折り曲げ可能かつ分割可能に連結されている。
【００３７】
上記マットレス４５の第１の部分４５ａと第２の部分４５ｂは、それぞれ上記ベッドフレーム１の第１のフレーム２と第２のフレーム３に図示しないバンドによって脱落不能に保持されており、必要に応じて上記バンドを外せば、ベッドフレーム１から取外すことができるようになっている。
【００３８】
上記構成のベッド装置は、就寝時には図１（ａ）に示すように、第１のフレーム２と第２のフレーム３とを水平に展開し、これらフレーム２、３の上面にマットレス４５を載置することで、このマットレス４５上に利用者が横たわることができる。
【００３９】
ベッドフレーム１を水平に展開した状態においては、第１のフレーム２と第２のフレーム３とを回動可能に連結したヒンジ機構４の一対の連結片５，６はストッパ機構２５によって回動不能に保持される。そのため、ほぼ水平に展開された第１のフレーム２と第２のフレーム３とは、展開状態が上記ストッパ機構２５によって確実に保持されるため、ベッド装置として安定した状態で使用することができる。
【００４０】
不使用時に上記ベッド装置を保管する場合には、まず、図６（ａ）に示すように端部材８のキャスタ１３が設けられた外面が下になるよう、ベッドフレーム１を起立させる。このとき、キャスタ１３のストッパを操作し、キャスタ１３を走行不能な状態とした方がベッドフレーム１を立て易い。ベッドフレーム１を立てたならば、第１、第２の脚部材１５、２１を各フレーム２、３に対して倒伏する状態に折り畳む。
【００４１】
ついで、マットレス４５の第２の部分４５ｂを第２のフレーム３に保持した図示しないバンドを外し、図６（ｂ）に示すようにこの第２の部分４５ｂを上面が第１のフレーム２に保持された第１の部分４５ａの上面に接触するよう折り畳む。それによって、２つに折り畳まれたマットレス４５の第１の部分４５ａと第２の部分４５ｂは端部材８上に立位状態で保持される。
【００４２】
ついで、図５（ｃ）に示すように、ヒンジ機構４を回動不能としたストッパ機構２５のハンドル部材３１をばね２９の付勢力に抗して引き、先端の係合部３３を第２の連結片６の係合孔３４から外す。それによって、ヒンジ機構４の第１の連結片５と第２の連結片６とが回動可能な状態となる。
【００４３】
その状態で、図６（ｂ）に示すように第２のフレーム３を下面が第１のフレーム２の下面に対向する方向へ折り畳む。第２のフレーム３を所定の状態まで折り畳むと、ストッパ機構２５のハンドル部材３１の先端の係合部３３が第２の連結片６の係合孔３４に自動的に係合するから、折り畳まれた第２のフレーム３がその状態で回動不能に保持される。
【００４４】
このように、ベッドフレーム１は、第１のフレーム２と第２のフレーム３とがヒンジ機構４によって折り畳み可能に連結されているから、ベッド装置を使用せずに保管する場合には、端部材８を下にして立て、第２のフレーム３を第１のフレーム２に対向するよう折り畳むことで、ベッドフレーム１の高さ寸法を約半分にすることができる。
【００４５】
そのため、端部材８に設けられたキャスタ１３によってベッド装置を走行させて保管場所に移動させる際、高さが約半分となっているため、倒れ難くいばかりか、安定した状態で走行移動させることができる。しかも、エレベータに載せて他の階に移動させるような場合、高さ寸法が約半分になっていることで、エレベータの高さが低いような場合であっても、ベッド装置を楽に載せて移動させることができる。
【００４６】
折り畳まれたベッドフレーム１の第１のフレーム２と第２のフレーム３は、ストッパ機構２５によって回動不能、つまり折り畳まれた状態が確実に保持されている。そのため、移動時などに第２のフレーム３がばたついて移動させ難いということがない。
【００４７】
上記ストッパ機構２５は第２のフレーム３を折り畳めば、ハンドル部材３１の係合部３３がばね２９の復元力によって第２の連結片６の係合孔３４に自動的に係合する。そのため、折り畳まれた第２のフレーム３を確実に、しかも特別な作業をせずに第１のフレーム２に対して回動不能に保持することができる。
【００４８】
ベッドフレーム１上に載置されていたマットレス４５は、図６（ｂ）に示すように、第２の部分４５ｂの上面を第１の部分４５ａの上面に接触させた状態で折り畳んで端部材８の上面に、折り畳まれた第１、第２のフレーム２、３と並んで載置される。そのため、マットレス４５をベッドフレーム１と一体的に取り扱うことができるから、折り畳まれたベッド装置の取り扱いが容易となる。
【００４９】
上記一実施の形態では第１の脚部材を第１のフレームの端部に起伏可能に設けるようにしたが、上記第１の脚部材は第２のフレームの第２の連結片の近くに起伏可能に設けるようにしても、差し支えない。
【００５０】
マットレスとしては第１の部分と第２の部分とに分割され、これら２つの部分が折り曲げ及び分断可能に連結された構造としたが、マットレスは２つの部分に分割されず、１つのものが２つに折り畳み可能な構成であっても差し支えない。
【００５１】
さらに、端部材はパイプ材を山形状に形成したが、その形状は限定されず、しかもパイプ材を所定の形状に曲成する代わりに、板状であっても差し支えなく、要は一側面をベッドフレームに対向させて連結し、他側面にキャスタを設けることができれる構造であればよい。
【００５２】
また、保持手段を構成するストッパ機構は、ベッドフレームの第１のフレームと第２のフレームを水平に展開したときと、折り畳んだときとの両方の状態においてヒンジ機構の一対の連結片を回動不能に保持できるようにしたが、第１のフレームと第２のフレームを水平に展開したときと、折り畳んだときとで、別々のストッパ機構によってヒンジ機構の一対の連結片を回動不能に保持するようにしてもよい。その場合、ストッパ機構はヒンジ機構に設けず、第１のフレームや第２のフレームに設けるようにしてもよい。
【００５３】
また、第１、第２のフレームを水平に展開した状態と、折り畳んだときにその状態で保持する保持手段は、上記構成のストッパ機構に限定されるものでなく、たとえば第１、第２のフレームを水平に展開したときにはその状態でヒンジ機構の一対の連結片がそれ以上回動しないような構成とし、折り畳んだときには、対向する一対のフレームを連結片やベルトなどで展開不能に連結するようにしてもよく、要は第１、第２のフレームを水平に展開した状態と、折り畳んだときにその状態で保持できる構成であればよい。
【００５４】
【発明の効果】
以上のようにこの発明によれば、ベッドフレームを起立させて移動させるとき、このベッドフレームを２つに折り畳むことができるようにした。
【００５５】
そのため、ベッド装置を保管する際などに、その移動を安定した状態で行うことができるばかりか、エレベータなどによって他の階へ運ぶ際、エレベータなどの狭い空間に対して確実かつ容易に出し入れすることができる。
【図面の簡単な説明】
【図１】（ａ）はこの発明の一実施の形態に係るベッド装置の正面図、（ｂ）は側面図。
【図２】ベッドフレームを下面側から見た図。
【図３】第２のフレームの端部の第２の脚部材が設けられた部分の拡大図。
【図４】図５のＸ−Ｘ線に沿う断面図。
【図５】（ａ）第１のフレームと第２のフレームとのヒンジ機構とストッパ機構とが設けられた部分の正面図、（ｂ）は平面図、（ｃ）はストッパ機構ハンドル部材をばねの復元力に抗して引いた状態の平面図、（ｄ）第１のフレームと第２のフレームとを折り畳んだときのヒンジ機構及びストッパ機構を示す正面図。
【図６】（ａ）へベッドフレームを端部材を下にして起立させた状態の正面図、（ｂ）はベッドフレームを起立させた後に、第２のフレームを折り畳んだ状態の正面図。
【符号の説明】
１…ベッドフレーム、２…第１のフレーム、３…第２のフレーム、４…ヒンジ機構、５…第１の連結片、６…第２の連結片、８…端部材、１３…キャスタ、１５…第１の脚部材、２１…第２の脚部材、２５…ストッパ機構、４５…マットレス。
【図１】
2004337227.tif 000003
【図２】
2004337227.tif 000004
【図３】
2004337227.tif 000005
【図４】
2004337227.tif 000006
【図５】
2004337227.tif 000007
【図６】
2004337227.tif 000008